(57)【要約】【課題】  ユーザーの明確な変更の意図がない限りは、回転調整体が回転するのをロック構造で阻止して、印字ユニットの印面高さが変わるのを阻止できる日付印を提供する。【解決手段】  主ケース５の外面を覆うカバー筒６の上部に、調整ナット体４３と、ストッパー体４４と、回転調整体４５を備えた高さ調整機構とを設ける。調整ナット体４３は弾性係合爪４９を備えており、ガイドボス４２に対して回転は自在に、しかしガイドボス４２から抜外れ不能に連結されて、回転調整体４５を抜止め保持している。回転調整体４５は接合座６０を備えており、接合座６０がカバー筒６の上壁に接合するロック姿勢と、接合座６０がカバー筒６の上壁から分離するロック解除姿勢の間で上下動可能である。ロック姿勢における回転調整体４５の接合座６０とカバー筒６の上壁の接合面に、互いに係合して回転調整体４５の回転を阻止するロック構造を設ける。【選択図】図１
2020097146.tif 000002
【特許請求の範囲】
【請求項１】
主ケース（５）の内部に複数の印字ベルト（２１）を備えた印字ユニット（２）が上下動自在に収容されて、ばね（２２）で印面変更位置へ向かって押上げ付勢されており、主ケース（５）の外面を覆うカバー筒（６）の上部に印字ユニット（２）の印面高さを調整する高さ調整機構が設けられている日付印であって、
高さ調整機構は、カバー筒（６）の上壁のガイドボス（４２）に装着される調整ナット体（４３）と、調整ナット体（４３）のねじボス（４７）にねじ込まれるストッパー体（４４）と、調整ナット体（４３）の周面を覆う状態でカバー筒（６）の上壁に組付けられて、調整ナット体（４３）を回転操作する回転調整体（４５）とを備えており、
調整ナット体（４３）はガイドボス（４２）に係合装着される弾性係合爪（４９）を備えており、ガイドボス（４２）に対して回転は自在に、しかしガイドボス（４２）から抜外れ不能に連結されて、回転調整体（４５）を抜止め保持しており、
回転調整体（４５）は、カバー筒（６）の上壁で受止められる接合座（６０）を備えており、接合座（６０）がカバー筒（６）の上壁に接合するロック姿勢と、接合座（６０）がカバー筒（６）の上壁から分離するロック解除姿勢の間で上下動可能であり、
ロック姿勢における回転調整体（４５）の接合座（６０）とカバー筒（６）の上壁の接合面に、互いに係合して回転調整体（４５）の回転を阻止するロック構造が設けられていることを特徴とする日付印。
【請求項２】
ロック構造が、カバー筒（６）の上壁に凹み形成されて環状に配置される一群のロック凹部（７０）と、回転調整体（４５）の接合座（６０）に設けたロック突起（７１）とで構成されており、
回転調整体（４５）がロック姿勢に切換えられた状態において、ロック突起（７１）がロック凹部（７０）と係合して、回転調整体（４５）の回転動作を規制している請求項１に記載の日付印。
【請求項３】
回転調整体（４５）と調整ナット体（４３）の間に、互いに係合して回転調整体（４５）の回転動作を調整ナット体（４３）に伝える駆動体（６４）と受動体（６５）とが設けられている請求項１、または２に記載の日付印。
【請求項４】
接合座（６０）の上面に筒壁（６１）が形成されて、隣接する筒壁（６１）の間に弾性係合爪（４９）を受入れる切欠部（６３）が設けられており、
切欠部（６３）に臨む筒壁（６１）の端壁が駆動体（６４）を兼ねており、弾性係合爪（４９）が受動体（６５）を兼ねている請求項３に記載の日付印。
【請求項５】
回転調整体（４５）の内リング（５９）と調整ナット体（４３）の受動リング（４６）の対向面に、互いに係合して回転調整体（４５）をロック姿勢に位置保持する係合片（６８）および係合リブ（６９）が設けられており、
回転調整体（４５）がロック解除姿勢に切換えられた状態において、係合片（６８）が係合リブ（６９）を乗越えて、筒壁（６１）の上端が橋絡壁（４８）の下面で受止められている請求項４に記載の日付印。
【請求項６】
回転調整体（４５）の筒壁（６１）とガイドボス（４２）の対向面に、回転操作される回転調整体（４５）にクリック感を付与する節度構造が設けられており、
節度構造が、ガイドボス（４２）の周面に形成される節度凹部（７２）と、筒壁（６１）の内面に形成されて節度凹部（７２）と係合する節度リブ（７３）とで構成されている請求項４または５に記載の日付印。
【請求項７】
回転調整体（４５）は、カバー筒（６）の上部形状に連続する操作リング（５８）と、同リング（５８）の下半内面に設けた内リング（５９）と、内リング（５９）の下端に設けたフランジ状の接合座（６０）と、接合座（６０）の上面に設けた部分円弧状の筒壁（６１）とを一体に備えており、
調整ナット体（４３）は、ガイドボス（４２）に外嵌されて回転調整体（４５）の回転動作を受け継ぐ受動リング（４６）と、ガイドボス（４２）に内嵌されるねじボス（４７）と、受動リング（４６）とねじボス（４７）を繋ぐ橋絡壁（４８）とを備えており、
受動リング（４６）に設けた弾性係合爪（４９）が、ガイドボス（４２）の周回溝（５０）に圧嵌装着されて、調整ナット体（４３）が回転調整体（４５）を抜止め保持している請求項１から６のいずれかひとつに記載の日付印。
【発明の詳細な説明】
【技術分野】
【０００１】
本発明は、日付の変更が可能な印字ユニットを備えている日付印に関し、なかでも印字ユニットの印面高さを調整する高さ調整機構を備えている日付印に関する。
【背景技術】
【０００２】
この種の日付印は、本出願人の提案に係る特許文献１の日付印に開示されている。特許文献１の日付印では、印字ユニットのフレームと内ケースの底壁の間に設けたばねで印字ユニットを押上げ付勢し、外ケースとフレームの間に設けた高さ調整機構で印字ユニットを受止めて、印字ユニットの印面高さを調整できるようにしている。高さ調整機構は、外ケースの上端に設けたガイドボスで回転は自在に、しかし抜外れは不能に外嵌係合される調整ダイヤル（回転調整体）と、調整ダイヤルのねじ穴にねじ込まれて、調整ダイヤルで上下調整される調整ねじ体（調整マット体）の２部品とガイドボスとで構成される。調整ねじ体には、先のねじ穴にねじ込まれるねじ軸が設けられており、その下端に印字ユニットのフレームを受止める角軸状の一対の押圧片が一体に設けられている。押圧片は外ケースに対して上下スライドは可能に、しかし回転は不能に係合されているため、調整ダイヤルを回転操作すると調整ねじ体が上または下へ移動して押圧片の受止め位置を変更でき、これにより印字ユニットの印面高さを調整できる。また、ガイドボスの上端に張りだした受壁と、調整ダイヤルに設けた弾性係合片とで節動機構を構成して、調整ダイヤルを新たな調整位置に位置保持できる。受壁の周面には連続波形の凹凸部が形成されており、対向する一対の弾性係合片に波形の凹部と係合する突弧面が形成されている。
【先行技術文献】
【特許文献】
【０００３】
【特許文献１】特許第３６４２４０２号公報
【発明の概要】
【発明が解決しようとする課題】
【０００４】
特許文献１の日付印によれば、外ケースの上部に設けた調整ダイヤルを回転操作することで、調整ねじ体を上または下に移動させて印字ユニットの印面高さを調整できる。しかし、日付印をバッグに収納して携行するような場合に、調整ダイヤルが外力を受けて動き、印字ユニットの印面高さが変わることがある。また、回転ダイヤルを回動操作して日付を変更する際に、調整ダイヤルが誤って回転操作されて、印字ユニットの印面高さが変わることがある。こうした調整ダイヤルの不用意な回転を防ぐうえで、節動機構は調整ダイヤルの回転を抑止できる点で都合がよい。しかし、連続波形の凹部と弾性係合片の係合力が小さいため、調整ダイヤルに大きな外力が作用し、あるいは調整ダイヤルが無理に回転操作される場合には、調整ダイヤルが回転して印字ユニットの印面高さが変わるのを避けられない。また、高さ調整機構が調整ダイヤルと調整ねじ体の２部品とガイドボスとで構成されているので、調整ダイヤルの回転を阻止するためのロック構造を新たに付加することは極めて困難となる。
【０００５】
本発明の目的は、回転調整体が回転操作されるのを阻止するロック構造を備えており、ユーザーの明確な変更の意図がない限りは回転調整体が回転するのを解消して、印字ユニットの印面高さが変わるのを確実に阻止できるようにした日付印を提供することにある。
【課題を解決するための手段】
【０００６】
本発明は、主ケース５の内部に複数の印字ベルト２１を備えた印字ユニット２が上下動自在に収容されて、ばね２２で印面変更位置へ向かって押上げ付勢されており、主ケース５の外面を覆うカバー筒６の上部に印字ユニット２の印面高さを調整する高さ調整機構が設けられている日付印を対象とする。高さ調整機構は、カバー筒６の上壁のガイドボス４２に装着される調整ナット体４３と、調整ナット体４３のねじボス４７にねじ込まれるストッパー体４４と、調整ナット体４３の周面を覆う状態でカバー筒６の上壁に組付けられて、調整ナット体４３を回転操作する回転調整体４５とを備えている。調整ナット体４３はガイドボス４２に係合装着される弾性係合爪４９を備えており、ガイドボス４２に対して回転は自在に、しかしガイドボス４２から抜外れ不能に連結されて、回転調整体４５を抜止め保持している。回転調整体４５は、カバー筒６の上壁で受止められる接合座６０を備えており、接合座６０がカバー筒６の上壁に接合するロック姿勢（図４に示す状態）と、接合座６０がカバー筒６の上壁から分離するロック解除姿勢（図１に示す状態）の間で上下動可能である。そして、ロック姿勢における回転調整体４５の接合座６０とカバー筒６の上壁の接合面に、互いに係合して回転調整体４５の回転を阻止するロック構造が設けられていることを特徴とする。
【０００７】
ロック構造は、カバー筒６の上壁に凹み形成されて環状に配置される一群のロック凹部７０と、回転調整体４５の接合座６０に設けたロック突起７１とで構成されている。回転調整体４５がロック姿勢に切換えられた状態において、ロック突起７１がロック凹部７０と係合して、回転調整体４５の回転動作を規制している。
【０００８】
回転調整体４５と調整ナット体４３の間に、互いに係合して回転調整体４５の回転動作を調整ナット体４３に伝える駆動体６４と受動体６５とが設けられている。
【０００９】
接合座６０の上面に筒壁６１が形成されて、隣接する筒壁６１の間に弾性係合爪４９を受入れる切欠部６３が設けられている（図５参照）。切欠部６３に臨む筒壁６１の端壁が駆動体６４を兼ねており、弾性係合爪４９が受動体６５を兼ねている。
【００１０】
回転調整体４５の内リング５９と調整ナット体４３の受動リング４６の対向面に、互いに係合して回転調整体４５をロック姿勢に位置保持する係合片６８および係合リブ６９が設けられている（図７参照）。回転調整体４５がロック解除姿勢に切換えられた状態においては、係合片６８が係合リブ６９を乗越えて、筒壁６１の上端が橋絡壁４８の下面で受止められている。
【００１１】
回転調整体４５の筒壁６１とガイドボス４２の対向面に、回転操作される回転調整体４５にクリック感を付与する節度構造が設けられている。図５に示すように節度構造は、ガイドボス４２の周面に形成される節度凹部７２と、筒壁６１の内面に形成されて節度凹部７２と係合する節度リブ７３とで構成されている。
【００１２】
回転調整体４５は、カバー筒６の上部形状に連続する操作リング５８と、同リング５８の下半内面に設けた内リング５９と、内リング５９の下端に設けたフランジ状の接合座６０と、接合座６０の上面に設けた部分円弧状の筒壁６１とを一体に備えている。調整ナット体４３は、ガイドボス４２に外嵌されて回転調整体４５の回転動作を受け継ぐ受動リング４６と、ガイドボス４２に内嵌されるねじボス４７と、受動リング４６とねじボス４７を繋ぐ橋絡壁４８とを備えている。受動リング４６に設けた弾性係合爪４９が、ガイドボス４２の周回溝５０に圧嵌装着されて、調整ナット体４３が回転調整体４５を抜止め保持している。
【発明の効果】
【００１３】
本発明においては、調整ナット体４３とストッパー体４４と回転調整体４５の３部品とガイドボス４２で高さ調整機構を構成して、回転調整体４５の接合座６０がカバー筒６の上壁に接合するロック姿勢と、接合座６０がカバー筒６の上壁から分離するロック解除姿勢の間で、回転調整体４５を上下動できるようにした。さらに、ロック姿勢における回転調整体４５の接合座６０とカバー筒６の上壁の接合面に、互いに係合して回転調整体４５の回転を阻止するロック構造を設けるようにした。こうした日付印によれば、回転調整体４５がロック姿勢に切換えられた状態では、回転調整体４５が回転操作されるのをロック構造で阻止できる。また、ユーザーが明確な変更の意図をもって、回転調整体４５をロック姿勢からロック解除姿勢に切換えて回転操作しない限りは、印字ユニット２の印面高さを変更することはできないので、回転調整体４５が不用意に回転するのを確実に阻止できる。
【００１４】
ロック構造は、カバー筒６の上壁に凹み形成されて環状に配置される一群のロック凹部７０と、回転調整体４５の接合座６０に設けたロック突起７１で構成するようにした。こうしたロック構造によれば、回転調整体４５がロック姿勢に切換えられた状態においては、ロック突起７１がロック凹部７０と係合して回転調整体４５の回転動作を確実に規制できる。また、接合座６０がカバー筒６の上壁に密着した状態であるか否かで、回転調整体４５が適正なロック姿勢に切換ったか否かを確認できる。ロック突起７１がカバー筒６の上壁で支持された状態では、カバー筒６と回転調整体４５の間に隙間が形成されるので、隙間の有無を確認するだけでロック突起７１がロック凹部７０と係合していないことを容易にしかも明確に確認できる。また、隙間の存在でユーザーの注意を喚起して、回転調整体４５を適正なロック姿勢に切換える必要があることを促すことができる。
【００１５】
回転調整体４５と調整ナット体４３の間に、駆動体６４と受動体６５を設けた日付印によれば、回転調整体４５の回転動作を互いに係合する駆動体６４と受動体６５で調整ナット体４３に伝えて、ストッパー体４４による印字ユニット２の受止め位置を変更し調整できる。つまり、従来の高さ調整機構を備えた日付印と同様に、ロック解除姿勢に切換えた回転調整体４５を単に回転操作することで、ストッパー体４４による印字ユニット２の受止め位置を変更し調整できるので、従来の高さ調整機構を備えた日付印を使い慣れたユーザーであっても、違和感なく高さ調整作業を行うことができる。
【００１６】
回転調整体４５の接合座６０の上面に筒壁６１と切欠部６３が設けてある日付印においては、切欠部６３に臨む筒壁６１の端壁が駆動体６４を兼ねることができ、さらに調整ナット体４３の弾性係合爪４９が受動体６５を兼ねることができる。従って、互いに係合する駆動体６４と受動体６５が、筒壁６１や弾性係合爪４９と別に設けてある場合に比べて、高さ調整機構がいたずらに複雑化するのを防いで、日付印の製造コストを削減できる。
【００１７】
回転調整体４５の内リング５９と調整ナット体４３の受動リング４６の対向面に、互いに係合して回転調整体４５をロック姿勢に位置保持する係合片６８および係合リブ６９を設けるようにした。こうした日付印によれば、回転調整体４５がロック姿勢に切換えられた状態において、係合片６８と係合リブ６９が互いに係合しあって回転調整体４５をロック姿勢に位置保持できるので、例えば回転調整体４５が外力を受けてロック解除姿勢に切換るのを確実に防止できる。また、回転調整体４５がユーザーによってロック解除姿勢に切換えられる状態では、係合片６８が係合リブ６９を乗越える間の動作抵抗と動作抵抗の消滅とで、回転調整体４５がロック解除姿勢に切換ったことを認識させることができる。さらに、回転調整体４５がロック解除姿勢に切換えられた状態では、筒壁６１の上端を橋絡壁４８の下面で受止めて、回転調整体４５がロック解除姿勢を越えて上向きに移動操作されるのを規制できる。
【００１８】
回転調整体４５の筒壁６１とガイドボス４２の対向面に、節度凹部７２と節度リブ７３からなる節度構造を設けるようにした。こうした日付印によれば、ロック解除姿勢に切換えられた回転調整体４５を回転操作するとき、節度リブ７３が節度凹部７２から抜出たのち隣の節度凹部７２に再び落ち込み係合する毎にクリック感を与えながら、回転調整体４５を回転操作された新たな調整位置に位置保持できる。そのため、回転調整体４５の回転操作と、印字ユニット２の印字状況の確認を交互に行って、印字ユニット２の印面高さの調整を適確に行うことができる。
【００１９】
回転調整体４５は、操作リング５８と、内リング５９と、フランジ状の接合座６０と、部分円弧状の筒壁６１を一体に備えるようにした。また、調整ナット体４３は、回転調整体４５の回転動作を受け継ぐ受動リング４６と、ガイドボス４２に内嵌されるねじボス４７と、受動リング４６とねじボス４７を繋ぐ橋絡壁４８を備えるようにした。こうした日付印によれば、受動リング４６に設けた弾性係合爪４９を、ガイドボス４２の周回溝５０に圧嵌装着することにより、調整ナット体４３自体をガイドボス４２に対して抜外れ不能に連結しながら、同時に回転調整体４５を調整ナット体４３で抜止め保持できる。
【図面の簡単な説明】
【００２０】
【図１】本発明に係る日付印の要部の縦断正面図である。
【図２】本発明に係る日付印の一部破断正面図である。
【図３】本発明に係る日付印の側面図であり、カバー筒を開放姿勢に切換えた状態を示している。
【図４】本発明に係る日付印の縦断正面図である。
【図５】高さ調整機構の分解斜視図である。
【図６】高さ調整機構の分解断面図である。
【図７】回転調整体がロック解除姿勢に切換わった状態を示す要部の縦断側面図である。
【図８】回転調整体がロック姿勢に切換わった状態を示す要部の縦断側面図である。
【図９】図４におけるＡ−Ａ線断面図である。
【発明を実施するための形態】
【００２１】
（実施例）
図１から図９に、本発明に係る日付印の実施例を示している。本発明における前後、左右、上下は、図２、図３に示す交差矢印と、矢印の近傍の前後、左右、上下の表記に従う。図２において日付印は、本体ケース１と、本体ケース１の内部に収容される印字ユニット２と、本体ケース１の下端に配置される固定印字体３と、固定印字体３の印面を覆う印面キャップ４などを備えている。
【００２２】
本体ケース１は、印字ユニット２を収容する主ケース５と、主ケース５の外面を覆うカバー筒６とで構成されている。主ケース５は、それぞれプラスチック成形品からなる半割状の前ケース５Ａと後ケース５Ｂを接合して形成されており、前ケース５Ａの前面と後ケース５Ｂの後面のそれぞれに凹部７・７が形成され、各凹部７・７に後述する印字ユニット２の調整ダイヤル１９を露出させるためのスリット８が形成されている（図３参照）。主ケース５の上部左右には、カバー筒６を開閉案内する四角形状のガイド突起９が設けられている。上記のように、調整ダイヤル１９の間が凹部壁で塞がれていると、調整ダイヤル１９を回転操作して日付の変更を行う際に、指先が後述の印字ベルト２１に触れるのを防止できるので、印字ベルト２１に付着しているインクで指先が汚れるのを解消できる。
【００２３】
カバー筒６は、上端が上壁で塞がれた丸筒状のプラスチック成形品からなり、その筒壁の内面左右に、先のガイド突起９で案内されるスライド溝１２が、筒壁の下端寄りから筒上部にわたって形成されている（図３、図６参照）。スライド溝１２の上端にはカバー筒６の上スライドを規制する規制溝１３が形成されている。カバー筒６を主ケース５に外嵌して、スライド溝１２をガイド突起９でスライド案内することにより、カバー筒６は主ケース５の外面を覆う閉じ姿勢（図２に示す状態）と、凹部７の外面を開放する開放姿勢（図３に示す状態）に姿勢変更できる。また、閉じ姿勢にしたカバー筒６を時計回転方向へ回転操作することにより、規制溝１３をガイド突起９と係合させて、カバー筒６が上向きに抜出し操作されるのを規制できる。規制溝１３の中途部には節度突起１４が設けてあって、カバー筒６が反時計回転方向へ回動するのを規制している。従って、日付の変更を行う場合には、カバー筒６を反時計回転方向へ回動操作し、節度突起１４を乗り越えたガイド突起９がスライド溝１２の上端に位置する状態で、カバー筒６を上向きに抜出し操作して調整ダイヤル１９を露出させる。カバー筒６の前周面には、平坦面からなる前印１５が形成されている。
【００２４】
図４において印字ユニット２は、門型のフレーム１７と、その対向壁で支持したダイヤル軸１８と、ダイヤル軸１８で支持した５個の調整ダイヤル１９と、同ダイヤル１９とフレーム１７の下端に装着したプラスチック製のブリッジ２０に巻き掛けられる５本の印字ベルト２１などで構成される。印字ベルト２１には、それぞれ２ケタの年号数字と、月数字と、日数字を印字する字母ブロックが一定間隔おきに設けられており、月数字を印字する印字ベルト２１のみが１個の印字ベルトで構成されている。
【００２５】
印字ユニット２は、主ケース５内を上下動して下方の印字位置と、上方の日付変更位置との間で移動できる。印字ユニット２は圧縮コイル形のばね２２で、日付変更位置へ向かって押上げ付勢されており、ばね２２はフレーム１７の下端左右に設けたばね受座２３と、後述する下部ケース２４の間に配置されている。印字ユニット２が日付変更位置を越えて上移動するのを規制するために、主ケース５の内面の下端寄りにばね受座２３を受止めるリブ状のストッパー２５が設けられている。
【００２６】
下部ケース２４は、主ケース５の下部に外嵌する上筒部２４ａと、固定印字体３が装着される下筒部２４ｂを備えており、下筒部２４ｂに印面キャップ４が着脱可能に外嵌装着される（図２参照）。固定印字体３は、円板状の印面ホルダー２８と、同ホルダー２８に固定される円形のゴム印字体２９からなり、印面ホルダー２８の上面に突設した装着爪３０を下筒部２４ｂの取付け穴に圧嵌係合することにより、印面ホルダー２８は下部ケース２４と一体化されている。下部ケース２４の内底壁と、印面ホルダー２８の上壁には、印字ベルト２１の出入りを許す出退口３１、３２が開口されている。上筒部２４ａの周面には滑止用の溝の一群が形成されている。
【００２７】
図２において印面キャップ４は、キャップ本体３４と、同本体３４の下開口を塞ぐキャップ蓋３５を備えており、キャップ本体３４の内底にインク塗付ユニットが配置されている。インク塗付ユニットは、上下動可能に支持されて、マットばね３６で押上げ付勢されるマットホルダー３７と、マットホルダー３７に固定されるインク含浸マット３８とを備えている。印面キャップ４が下部ケース２４に装着された状態（図３参照）では、固定印字体３の印面、および印字ベルト２１の印面がインク含侵マット３８に押付けられて、インク塗付ユニットがマットばね３６の付勢力に抗して押下げ移動される。
【００２８】
印字ユニット２が印字位置に位置保持された状態において、固定印字体３の印面に対する印字ユニット２の印面高さを調整するために、カバー筒６の上部に高さ調整機構が設けられている。高さ調整機構は、カバー筒６の上壁に設けたガイドボス４２に装着される調整ナット体４３と、調整ナット体４３のねじボス４７にねじ込まれるストッパー体４４と、調整ナット体４３を回転操作する回転調整体４５などを備えている。回転調整体４５は、調整ナット体４３の周面を覆う状態でカバー筒６の上壁に組付けられている。
【００２９】
図５および図６において調整ナット体４３は、ガイドボス４２に外嵌されて回転調整体４５の回転動作を受け継ぐ受動リング４６と、ガイドボス４２に内嵌されるねじボス４７と、受動リング４６とねじボス４７を繋ぐ一対の橋絡壁４８と、受動リング４６の対向２個所の下面側に連出される弾性係合爪４９を一体に備えている。カバー筒６と調整ナット４３の間に回転調整体４５を挟んだ状態で、ねじボス４７をガイドボス４２に内嵌させながら、弾性係合爪４９をガイドボス４２の周回溝５０に圧嵌装着することにより、調整ナット体４３は、回転は自在に、しかしガイドボス４２から抜外れ不能に連結されつつ、回転調整体４５を抜止め保持している。実際の組み立て時には、ストッパー体４４をねじボス４７にねじ込んだ状態で、ストッパー突起５３を通口５５に差し込みながら、弾性係合爪４９を周回溝５０に圧嵌装着することになる。
【００３０】
ストッパー体４４は、調整ナット体４３のねじ穴５１にねじ込まれるねじ軸５２と、ねじ軸５２の下面に突設される四角軸状のストッパー突起５３と、ねじ軸５２の上面に張出される円板状の蓋壁５４を備えている。蓋壁５４には固定印字体３の印字内容を示す円形の表示ラベル（図示していない）を貼ることができる。ストッパー突起５３はカバー筒６の上壁に形成した四角形の通口５５を介してカバー筒６の内部に突出させてあり、その下端部分で印字ユニット２のフレーム１７の上壁を受止める。ストッパー突起５３は通口５５で上下動は可能であるが、回転は不能に保持されている。そのため、調整ナット体４３を回転調整体４５で回転操作すると、ストッパー体４４のねじ軸５２が上下動して、ストッパー突起５３の受止め位置を上下に変更し、印字ユニット２の印面高さを調整することができる。ストッパー突起５３の下端左右には弾性変形可能な脱落防止用の係合爪５６が形成されている。
【００３１】
回転調整体４５は、カバー筒６の上部形状に連続して上すぼまり状に形成される操作リング５８と、同リング５８の下半内面に設けた内リング５９と、内リング５９の下端に設けたフランジ状の接合座６０と、接合座６０の上面の対向２個所に設けた部分円弧状の筒壁６１を一体に備えている。隣接する筒壁６１の間には、弾性係合爪４９を受入れる切欠部６３が設けられており、操作リング５８の上半内面の上凹部６２には、蓋壁５４が収容される。回転調整体４５をカバー筒６に装着した状態では、一対の筒壁６１の間の切欠部６３に先の弾性係合爪４９が収容されるので、回転調整体４５を回転操作すると、切欠部６３に臨む筒壁６１の端壁が弾性係合爪４９と係合して、調整ナット体４３を回転調整体４５と同行回転させることができる。このように、切欠部６３に臨む筒壁６１の端壁は、回転調整体４５の回転動作を調整ナット体４３に伝える駆動体６４を兼ねており、弾性係合爪４９は回転調整体４５の回転動作を受継ぐ受動体６５を兼ねている。従って、互いに係合する駆動体６４と受動体６５を別途設ける場合に比べて高さ調整機構を簡素化できる利点がある。
【００３２】
先に述べたようにカバー筒６に装着した回転調整体４５は、ガイドボス４２に係合装着した調整ナット体４３で抜止め保持されている。詳しくは、内リング５９の内面の８個所には係合片６８が突設されており、受動リング４６の周囲壁には係合リブ６９が設けられている。回転調整体４５は、接合座６０がカバー筒６の上壁に密着するロック姿勢（図４および図８に示す状態）と、接合座６０がカバー筒６の上壁から分離するロック解除姿勢（図７に示す状態）の間で上下動可能である。回転調整体４５がロック姿勢になっている状態では、係合片６８の上部が係合リブ６９で押え保持されている。また、ロック姿勢に切換った回転調整体４５を上向きに引上げると、図７に示すように、係合片６８が係合リブ６９を乗越えてロック解除姿勢になり、この状態の筒壁６１の上端は橋絡壁４８の下面で受止められている。従って、回転調整体４５がロック解除姿勢を越えて上向きに移動することはない。
【００３３】
ロック姿勢に切換った回転調整体４５の回転を阻止するために、回転調整体４５の接合座６０とカバー筒６の上壁の接合面（上面）にロック構造が設けられている。また、回転調整体４５がロック解除姿勢に切換えられた状態において、回転操作される回転調整体４５にクリック感を与えるために、筒壁６１とガイドボス４２の対向面に節度構造が設けられている。
【００３４】
ロック構造は、カバー筒６の上壁に凹み形成されて環状に配置される一群のロック凹部７０と、接合座６０の下面の対向２個所に設けたロック突起７１で構成される。ロック凹部７０は、径方向に沿う長辺部を備えた長方形状の凹部からなり、ガイドボス４２の周囲に放射状に配置されている。ロック突起７１は、ロック凹部７０と同形の径方向に沿う長辺部を備えた長方形状の突起からなる。
【００３５】
図１に示すように、回転調整体４５がロック解除姿勢に切換えられた状態では、ロック突起７１がロック凹部７０から分離するので、回転調整体４５を回転操作して印字ユニット２の印面高さを変えることができる、しかし、図４に示すように回転調整体４５がロック姿勢に切換えられて、一対のロック突起７１がロック凹部７０と係合した状態では、回転調整体４５に加わる回転操作力がロック凹部７０で受止められるので、回転調整体４５が回転して印字ユニット２の印面高さが変わることはない。この実施例では、ガイドボス４２の周囲の２０個所にロック凹部７０を形成したので、回転調整体４５が１８度回転する毎に、ロック突起７１をロック凹部７０に係合させることができる。本実施例とは逆に、接合座６０に一群のロック凹部７０を形成し、カバー筒６の上壁に複数のロック突起７１を形成することもできる。
【００３６】
図５に示すように節度構造は、内外に対向するガイドボス４２の周面に形成される節度凹部７２と、筒壁６１の内面の対向位置に形成されて節度凹部７２と係合する一対の節度リブ７３で構成される。節度凹部７２は、ガイドボス４２の基端から周回溝５０にわたって形成されており、節度リブ７３は筒壁６１の内面の下端から上端にわたって形成されている。回転調整体４５がロック解除姿勢に切換えられた状態においては、節度リブ７３の下部が節度凹部７２の上部を乗越えることで、回転操作される回転調整体４５にクリック感を与える。
【００３７】
以上のように構成した日付印によれば、回転調整体４５がロック姿勢に切換えられた状態では、回転調整体４５が回転操作されるのをロック構造で阻止できる。具体的には、回転調整体４５がロック姿勢に切換わった状態では、回転調整体４５に回転力が加わったとしても、ロック突起７１とロック凹部７０が係合しているので、回転調整体４５を回転操作することはできない。従って、ユーザーが明確な変更の意図をもって、回転調整体４５をロック解除姿勢に切換えて回転操作しない限りは、印字ユニット２の印面高さを変更することはできず、回転調整体４５が不用意に回転するのを確実に阻止できる。日付印をバッグに収納して携行するような場合や、調整ダイヤル１９を操作して日付を変更する際などに、回転調整体４５が誤って回転操作されて、印字ユニット２の印面高さが変わることも確実に解消できる。
【００３８】
カバー筒６の上壁に凹み形成した一群のロック凹部７０と、回転調整体４５の接合座６０に設けたロック突起７１で構成したロック構造によれば、接合座６０がカバー筒６の上壁に密着した状態であるか否かで、回転調整体４５が適正なロック姿勢に切換ったか否かを確認できる。因みに、ロック突起７１がカバー筒６の上壁で支持された状態では、カバー筒６と回転調整体４５の間に隙間が形成されるので、隙間の有無を確認するだけでロック突起７１がロック凹部７０と係合していないことを容易にしかも明確に確認できる。また、隙間の存在でユーザーの注意を喚起して、回転調整体４５を適正なロック姿勢に切換える必要があることを促せる利点もある。
【００３９】
回転調整体４５と調整ナット体４３の間に、駆動体６４と受動体６５を設けた日付印によれば、回転調整体４５の回転動作を互いに係合する駆動体６４と受動体６５を介して調整ナット体４３に伝えて、ストッパー体４４による印字ユニット２の受止め位置を変更し調整できる。つまり、従来の高さ調整機構を備えた日付印と同様に、ロック解除姿勢に切換えた回転調整体４５を単に回転操作することで、ストッパー体４４による印字ユニット２の受止め位置を変更し調整できるので、従来の高さ調整機構を備えた日付印を使い慣れたユーザーであっても、違和感なく高さ調整作業を行うことができる。
【００４０】
回転調整体４５の接合座６０の上面に筒壁６１と切欠部６３が設けられた日付印によれば、切欠部６３に臨む筒壁６１の端壁が駆動体６４を兼ねることができ、さらに調整ナット体４３の弾性係合爪４９が受動体６５を兼ねることができる。従って、互いに係合する駆動体６４と受動体６５が、筒壁６１や弾性係合爪４９と別に設けてある場合に比べて、高さ調整機構がいたずらに複雑化するのを防いで、日付印の製造コストを削減できる。
【００４１】
内リング５９と受動リング４６の対向面に係合片６８および係合リブ６９を設けたので、回転調整体４５がロック姿勢に切換えられた状態において、係合片６８と係合リブ６９が互いに係合しあって回転調整体４５をロック姿勢に位置保持することができるので、例えば回転調整体４５が外力を受けてロック解除姿勢に切換るのを確実に防止できる。また、回転調整体４５がユーザーによってロック解除姿勢に切換えられる状態では、係合片６８が係合リブ６９を乗越える間の動作抵抗と動作抵抗の消滅とで、回転調整体４５がロック解除姿勢に切換ったことを認識させることができる。さらに、回転調整体４５がロック解除姿勢に切換えられた状態では、筒壁６１の上端を橋絡壁４８の下面で受止めて、回転調整体４５がロック解除姿勢を越えて上向きに移動操作されるのを規制できる。
【００４２】
回転調整体４５の筒壁６１とガイドボス４２の対向面に、節度凹部７２と節度リブ７３からなる節度構造を設けたので、ロック解除姿勢に切換えられた回転調整体４５を回転操作するとき、節度リブ７３が節度凹部７２から抜出たのち隣の節度凹部７２に再び落ち込み係合する毎にクリック感を与えながら、回転調整体４５を回転操作された新たな調整位置に位置保持できる。そのため、回転調整体４５の回転操作と、印字ユニット２の印字状況の確認を交互に行って、印字ユニット２の印面高さの調整を適確に行うことができる。
【００４３】
回転調整体４５は、操作リング５８と、内リング５９と、フランジ状の接合座６０と、部分円弧状の筒壁６１を一体に備えるものとした。また、調整ナット体４３は、回転調整体４５の回転動作を受け継ぐ受動リング４６と、ガイドボス４２に内嵌されるねじボス４７と、受動リング４６とねじボス４７を繋ぐ橋絡壁４８を備えるものとした。こうした日付印によれば、受動リング４６に設けた弾性係合爪４９を、ガイドボス４２の周回溝５０に圧嵌装着することにより、調整ナット体４３自体をガイドボス４２に対して抜外れ不能に連結しながら、同時に回転調整体４５を調整ナット体４３で抜止め保持できる。
【００４４】
上記の実施例では、ロック凹部７０およびロック突起７１を、径方向に沿う長辺部を備えた長方形状の凹部および突起で形成したがその必要はなく、例えばロック凹部７０を円形の凹部で形成し、ロック突起７１を丸ピン状に形成することができる。また、ロック突起７１は３個以上設けることができる。ストッパー突起５３は四角軸状である必要はなく、断面が小判形やＤ字形の軸など非円形断面の軸や管であってもよい。操作リング５８の周面には、すべり止め用の溝の一群、あるいはリブの一群が形成されていてもよい。
【符号の説明】
【００４５】
２  印字ユニット
５  主ケース
６  カバー筒
１７  フレーム
２１  印字ベルト
２２  ばね
４２  ガイドボス
４３  調整ナット体
４４  ストッパー体
４５  回転調整体
４６  受動リング
４７  ねじボス
４９  弾性係合爪
５０  周回溝
５１  ねじ穴
５２  ねじ軸
５３  ストッパー突起
５５  通口
５８  操作リング
５９  内リング
６０  接合座
６１  筒壁
６３  切欠部
６４  駆動体
６５  受動体
６８  係合片
６９  係合リブ
７０  ロック凹部
７１  ロック突起
７２  節度凹部
７３  節度リブ
【図１】
2020097146.tif 000003
【図２】
2020097146.tif 000004
【図３】
2020097146.tif 000005
【図４】
2020097146.tif 000006
【図５】
2020097146.tif 000007
【図６】
2020097146.tif 000008
【図７】
2020097146.tif 000009
【図８】
2020097146.tif 000010
【図９】
2020097146.tif 000011